(57)【特許請求の範囲】
【請求項１】
極低温液化ガスを吸着保持する極低温液化ガス吸着保持材及び生体試料を入れた試料容器を収納する収納部と上部が開口する筒状の容器口部とを有する有底筒状の容器本体部と、該容器本体部の前記容器口部に着脱可能に設けられ該容器口部を覆う有底筒状の蓋体と、を備え、
前記容器口部は外周面に雄ネジ部を有し、前記蓋体は内周面に周方向の一部に前記雄ネジ部に螺合する雌ネジ部を有してなり、前記容器口部の外周面及び／又は前記蓋体の内周面には通気用の凹部が形成されており、
周方向の一部に形成された前記各雌ネジ部は、周方向に凸凹して先端が尖った鋸歯状の歯が連続する形状になっていることを特徴とする生体試料輸送容器。
【請求項２】
前記収納部は、有底筒状の試料容器が挿入可能な試料容器保持穴を有し、該試料容器保持穴に挿入された試料容器を保持する試料容器固定具を備えたことを特徴とする請求項１記載の生体試料輸送容器。
【発明の詳細な説明】
【技術分野】
【０００１】
本発明は、細胞など医療・バイオ分野の生体試料を、液体窒素を使用して所定温度（-150℃以下）に維持した状態で、病院や研究所内で持ち運び可能な生体試料輸送容器に関する。
【背景技術】
【０００２】
再生医療実用化研究が活発化する中、例えば細胞を採取した施設からバンク施設や他研究機関へ細胞を長時間かけて輸送するケースが増えてくると予想される。細胞の生存能力維持や品質管理のため、施設間の輸送中、液体窒素を用いた凍結温度帯を維持したいというニーズが増えつつある。また、各施設内で試料を移動させる際も、解凍処理を行う直前まで、温度上昇を極力小さくすることが求められている。
【０００３】
凍結保存された試料の室内移動は、発泡材等の蓋と容器からなる断熱箱に液体窒素を入れ、この中に生体試料の入った容器（以下、試料容器という）を収める方法が一般的である。
また、凍結保存された生体試料を室内移動させる方法として、液体窒素を入れたトレーに、バイアルを立てて収容可能な熱伝導ブロックを置いて、バイアルを移動させる方法を採られることもある。
【０００４】
しかし、発泡材からなる一般的な断熱箱は、容器と蓋が固定されておらず、作業者が容器を転倒させた場合、容器と蓋が外れて中の試料が落下したり液体窒素がこぼれたりする恐れがある。
また、断熱箱内の位置、例えば液体窒素にバイアルが触れているかいないか等によって、バイアルごとに冷却温度が異なることがあるため、試料の品質にばらつきがでるおそれもある。
さらに、液体窒素にバイアルが直接接触すると、バイアルのキャップと容器本体の隙間から内部に液体窒素が侵入することがあり、コンタミネーションやバイアルの破裂を招くおそれがある。
【０００５】
このような液体窒素による凍結保存の問題点を解決するものとして、例えば特許文献１には、液体窒素が気化した低温窒素ガスの気相中で、試料の凍結状態を保持するようにした凍結保存器が提案されている。
特許文献１の凍結保存器は、「上部に開閉自在な試料出入口を有する断熱容器と、試料出入口から断熱容器内に格納される試料収納ケースと、断熱容器内に装填された極低温液化ガスの含浸材とを具備して、含浸材に含浸された液化ガスにより断熱容器内を極低温の気相雰囲気に保持するように構成したことを特徴とする」（特許文献１の請求項１参照）ものである。
【先行技術文献】
【特許文献】
【０００６】
【特許文献１】特開２００７−２７１２７９号公報
【発明の概要】
【発明が解決しようとする課題】
【０００７】
確かに、特許文献１のものは、真空断熱容器の内部に設けた含浸材に液体窒素を含浸させる構造であるため、万が一容器が横倒しになっても液体窒素がこぼれたり、液体窒素によるコンタミネーションの問題は生じない。
【０００８】
しかしながら、真空断熱容器の試料出入り口に関してはキャップにより開閉すると記載されるのみで、具体的な態様については何ら開示されていない。
そのため、仮にキャップが試料出入り口を密封するようなものであれば、気化した窒素ガスによって内圧が上昇するおそれがある。
【０００９】
本発明はかかる課題を解決するためになされたものであり、生体試料の凍結状態を維持して安全に搬送できる生体試料輸送容器を提供することを目的とする。
【課題を解決するための手段】
【００１０】
（１）本発明に係る生体試料輸送容器は、極低温液化ガスを吸着保持する極低温液化ガス吸着保持材及び生体試料を入れた試料容器を収納する収納部と上部が開口する筒状の容器口部とを有する有底筒状の容器本体部と、該容器本体部の前記容器口部に着脱可能に設けられ該容器口部を覆う有底筒状の蓋体と、を備え、
前記容器口部は外周面に雄ネジ部を有し、前記蓋体は内周面に前記雄ネジ部に螺合する雌ネジ部を有してなり、前記容器口部の外周面及び／又は前記蓋体の内周面には通気用の凹部が形成されていることを特徴とするものである。
【００１１】
（２）また、上記（１）に記載のものにおいて、前記雄ネジ部及び又は前記雌ネジ部は、周方向に凸凹して歯が連続する形状になっていることを特徴とするものである。
【００１２】
（３）また、極低温液化ガスを吸着保持する極低温液化ガス吸着保持材及び生体試料を入れた試料容器を収納する収納部と上部が開口する筒状の容器口部とを有する有底筒状の容器本体部と、該容器本体部の前記容器口部に着脱可能に設けられ該容器口部を覆う有底筒状の蓋体と、を備え、
前記容器口部は、周面に係止部を有し、
前記蓋体の内周面は、前記蓋体が前記容器口部に装着された状態で内周面と前記容器口部の外周面との間を気化した極低温液化ガスが通流できる隙間が形成されるように設定され、
前記蓋体は、前記容器口部への装着状態の固定と該固定の解除を操作する一対の操作片を有し、
一対の操作片は前記蓋体の外周面に対向して配置され、各操作片は、前記蓋体の上面から上方に突出する操作部と、該操作部の下方に設けられて各操作片を傾動可能に支持する傾動軸と、前記各操作片の下部を内側に移動させる方向に常時付勢する付勢手段と、前記各操作片の下部に設けられて前記容器口部の係止部に係合する係合部とを備えたことを特徴とするものである。
【００１３】
（４）また、上記（１）乃至（３）のいずれかに記載のものにおいて、前記収納部は、有底筒状の試料容器が挿入可能な試料容器保持穴を有し、該試料容器保持穴に挿入された試料容器を保持する試料容器固定具を備えたことを特徴とするものである。
【発明の効果】
【００１４】
本発明の生体試料輸送容器においては、蓋体の内周面が、前記蓋体が容器口部に装着された状態で内周面と前記容器口部の外周面との間を気化した極低温液化ガスが通流できる凹部が形成されているので、容器内圧が上昇するという危険がない。
【００１５】
また、雄ネジ部及び又は雌ネジ部は、周方向に凸凹して歯が連続する形状になっていることで、内部気体の排気の機能に加えて凍結時の抵抗の緩和、さらには蓋体を容器口部にねじ込んで締める際に、容器口部に付いた霜や氷を削り取り蓋体の装着が容易になるという効果を奏している。
【００１６】
また、蓋体は、前記容器口部への装着状態の固定と該固定の解除を操作する一対の操作片を有し、該一対の操作片が前記蓋体の外周面に対向して配置され、各操作片は、前記蓋体の上面から上方に突出する操作部と、該操作部の下方に設けられて各操作片を傾動可能に支持する傾動軸と、前記各操作片の下方を内側に移動させる方向に常時付勢する付勢手段と、前記各操作片の下部に設けられて前記容器口部の係止部に係合する係合部とを備えたことにより、容器を誤って倒しても操作片が付勢された状態で容器口部に係合しているので蓋部材が外れにくく、生体試料容器が飛び出す恐れがない。
また、対向配置された操作部を引き寄せるようにすることで、係合を解除して蓋体を外すことができるので、片手での操作が可能であるため、蓋体の取り外しと装着を素早く行うことができ、容器内を外気に曝す時間を短くすることができる。
【図面の簡単な説明】
【００１７】
【図１】本発明の実施の形態１に係る生体試料輸送容器の斜視図である。
【図２】図１に示した生体試料輸送容器のＡ−Ａ断面図である。
【図３】生体試料輸送容器内に設置する極低温液化ガス吸着保持材の説明図である（その１）。
【図４】生体試料輸送容器内に設置する極低温液化ガス吸着保持材の説明図である（その２）。
【図５】生体試料輸送容器内に設置する試料容器固定具の説明図である。
【図６】図５の矢視Ｂ−Ｂ断面図である。
【図７】生体試料輸送容器内に設置する内容物固定具の平面図である。
【図８】図７に示した内容物固定具の矢視Ｃ−Ｃ断面図である。
【図９】生体試料輸送容器の容器口部の説明図である。
【図１０】蓋体の機能を説明する説明図である。
【図１１】蓋体の操作片を説明する分解斜視図である。
【図１２】蓋体の操作片の作用の説明図である（その１）。
【図１３】蓋体の操作片の作用の説明図である（その２）。
【図１４】本発明の実施の形態２に係る生体試料輸送容器の正面図である。
【図１５】図１４に示した生体試料輸送容器の平面図である。
【図１６】図１５の矢視Ａ−Ａ断面図である。
【図１７】図１５の矢視Ｂ−Ｂ断面図である。
【図１８】図１４に示した生体試料輸送容器の蓋体の側面図である。
【図１９】図１４に示した生体試料輸送容器の蓋体の内面側を説明する説明図である。
【図２０】図１８の矢視Ｃ−Ｃ断面図である。
【発明を実施するための形態】
【００１８】
以下においては、基礎出願において記載されていた発明の実施の形態について実施の形態１として先に説明し、優先権主張出願で追加した発明の実施の形態を実施の形態２として実施の形態１の後に説明する。
なお、上記の順は特許請求の範囲に記載の発明の順序と必ずしも一致していない。
［実施の形態１］
本実施の形態に係る生体試料輸送容器１は、図１、図２に示すように、液化窒素等の極低温液化ガスを吸着保持させた極低温液化ガス吸着保持材３と生体試料を入れた試料容器５等を収納する収納部７と上部が開口する筒状の容器口部９とを有する有底筒状の容器本体部１１と、容器本体部１１の容器口部９に着脱可能に設けられ容器口部９を覆う有底筒状の蓋体１３とを備えている。
容器本体部１１と蓋体１３の構造を以下詳細に説明する。
【００１９】
＜容器本体部＞
容器本体部１１は、有底筒状の断熱性の容器であり、その収納部７には液体窒素等の極低温液化ガスを吸着保持させた極低温液化ガス吸着保持材３、生体試料を入れた試料容器５を固定する試料容器固定具１５、及び極低温液化ガス吸着保持材３及び試料容器固定具１５等の内容物を固定する内容物固定具１７が収納され、その上部には蓋体１３が装着される筒状の容器口部９が形成されている。
【００２０】
容器本体部１１の材質及び構造としてはステンレス製の真空断熱構造が望ましいが、真空断熱構造に限らず、容器全体が断熱材（発泡スチロール、ポリウレタン等）で形成されたものも含む。また、形状は円柱、直方体、立方体、多角柱などが良い。
【００２１】
《極低温液化ガス吸着保持材》
極低温液化ガス吸着保持材３は、容器本体部１１の収納部７内に入れた液体窒素等の極低温液化ガスを吸着保持し、試料を保冷状態に保つためのシートである（図２、図３、図４参照）。
極低温液化ガス吸着保持材３の材質として、例えばオイルソーベント、グラスウール等の非極性分子を吸着するシート状のもの（厚み4〜5mm）であるが、これに限定されるものではない。
【００２２】
容器本体部１１の底部には図２、図３に示すような穴の開いていない極低温液化ガス吸着保持材３を複数枚入れることで、極低温液化窒素を吸着保持させる量を増やすことができる。
また、容器本体部１１の上部には図２、図４に示すような試料容器挿入穴３ａがある極低温液化ガス吸着保持材３を設置することで、バイアル等の試料容器５を差し込む深さを調整することが可能となり、様々な長さのバイアル等の試料容器５に対応することができる。
【００２３】
《試料容器固定具》
試料容器固定具１５は、容器本体部１１内に収容してバイアル等の試料容器５を固定することで、生体試料輸送容器１の転倒時にバイアルの飛び出しや落下を防止するものである。
試料容器固定具１５は、外形が容器内水平断面形状と同形状で、試料容器５を挿入して保持する試料容器保持穴１５ａが複数設けられている（図５、図６参照）。
試料容器保持穴１５ａの各穴近傍には、図５に示すように番号を表示することで、挿入する試料容器５の位置を特定することができる。
【００２４】
試料容器保持穴１５ａの穴側面には、穴内方に向かって突出する突起部１５ｂが複数設けられ、突起部１５ｂの間は側溝１５ｃになっている。側溝１５ｃが形成されることで、試料容器５を固定した状態でも、気化した極低温液化ガスが通ることを可能にし、試料を素早くかつ均一に冷却できるようになっている。側溝１５ｃの数が多く全体としての開口面積が広くなれば試料容器５を冷却する能力が上がるが、突起部１５ｂの面積が小さくなり、試料容器５を保持する力が落ちる。よって側溝１５ｃは、試料容器保持穴１５ａが一つにつき２以上、好ましくは８箇所程度とする。
また、突起部１５ｂの頂上を丸くすることで（図５参照）、試料容器５の抜き差しによる摩耗を抑えることができるので、長期間使用しても試料容器５を固定する能力が落ちない。
【００２５】
試料容器固定具１５の材質としては、発泡ポリエチレン、ポリウレタン等の伸縮性を有する材質が望ましい。試料容器５を挿入したときの固定具合を適度なものにするために、高さは10mm以上で好ましくは20mm程度とする。
試料容器保持穴１５ａの穴径は、極低温液化ガスを注いだ際の低温による収縮を考えて、試料容器径＋0.6mm程度が望ましいがこれに限定されるものではない。
本例では試料容器５としてバイアルを用いており、バイアルの径が12.9mmであるので、試料容器固定具１５の試料容器保持穴１５ａは13.5mmとなっている。
なお、試料容器保持穴１５ａの穴形状は図示したものに限らず、三角形、四角形、五角形、六角形等の多角形状とし、角部で作られる隙間をガス抜き孔としてもよい。
【００２６】
《内容物固定具》
内容物固定具１７は、試料容器５に対して極低温液化ガス吸着保持材３との密着性を確保し、試料容器固定具１５による保持と相まって生体試料を固定し、振動や衝撃による試料へのダメージを小さくするものである。
内容物固定具１７は、試料容器固定具１５及び極低温液化ガス吸着保持材３を外周から保持するために、図７、図８に示すような円筒形をしている。
【００２７】
内容物固定具１７の材質は、試料容器固定具１５と同様に、発泡ポリエチレン、ポリウレタン等の伸縮性を有する材質が望ましい。内容物固定具１７の一個当たりの高さは限定されるものではないが、好ましくは20mm程度とし、極低温液化ガス吸着保持材３を入れる枚数に合わせて、入れる個数を調整することができる。図１に示すものは、図７、図８に示したものを２段に積み重ねて使用している。
【００２８】
《容器口部》
容器口部９には、その周面に凸形状又は凹形状の係止部１９が形成されている。本例では、図９に示すように、ビード状の凸形状部が容器口部９の周壁に沿ってねじ状に２条設けられている。したがって、２条の凸形状部間に蓋体１３の操作片２１の係合部２１ｄを係合させることができる。
なお、係止部１９の形状は、凸形状又は凹形状に限定されるものではなく、後述する蓋体１３に設ける係合部２１ｄが係合できるものであればよい。なお、係止部１９を凸形状として、容器口部９の周方向の一部に設ける場合には、凸形状の高さを調整することで、蓋体１３と容器口部９の隙間の調整をすることができる。
【００２９】
＜蓋体＞
蓋体１３は、容器本体部１１の容器口部９に着脱可能に設けられ容器口部９を覆うものである。
蓋体１３の内周面は、蓋体１３が容器口部９に装着された状態で内周面と容器口部９の外周面との間に気化した極低温液化ガスが通流できる隙間が形成されるように設定されている（図１０の太線の矢印はガス流れを模式的に示したものである。）。
隙間を形成する目的は、容器本体部１１で気化した極低温液化ガスを外部に逃すことで、蓋体１３を装着した状態で内圧が上昇するのを防止するためである。
この目的を達成できる程度の隙間であればよく、隙間が大きすぎると、気化したガスが逃げ出す量が多くなり、冷却能力が低下するので好ましくない。
【００３０】
また、蓋体１３は、容器口部９の係止部１９に係合して蓋体１３が容器本体部１１から離脱するのを防止する一対の操作片２１を有している。
一対の操作片２１は蓋体１３の外周面に対向して設けられた開口窓部１３ａに配置され、各操作片２１は、蓋体１３の上面から上方に突出する操作部２１ａと、操作部２１ａの下方に設けられた傾動軸２１ｂと、操作片２１の下部を内側に移動させる方向に常時付勢する付勢手段としてのバネ２１ｃと、容器口部９に設けられた係止部１９に係合する係合部２１ｄとを備えている（図１１参照）。
【００３１】
蓋体１３を容器口部９に装着した状態では、図１２に示すように、係合部２１ｄがビード状の係止部１９に係合するため、蓋体１３が離脱しない。また、操作片２１は常時バネ２１ｃで係合部２１ｄが係止部１９に係合する方向に付勢されているので、容易に外れることがなく、例えば誤って生体試料輸送容器１を倒したような場合でも、蓋体１３が離脱することがなく、試料容器５が飛び出すこともない。
【００３２】
蓋体１３を外す際には、図１３に示すように、一対の操作部２１ａを引き寄せるように操作することで、係合部２１ｄの係止部１９への係合を外し、蓋体１３を引き上げるようにすればよい。このような操作は片手で可能であり、一方の手で蓋体１３を取り外し、他方の手で試料容器５の出し入れをし、すぐに蓋体１３を装着するという操作が可能で、容器内を外気に曝す時間を短くすることができる。
【００３３】
蓋体１３の内側には、図２に示すように、断熱材を収納して保持するための断熱材保持容器２３が固定ネジ２５によって着脱可能に取り付けられている。断熱材保持容器２３には、発泡ポリエチレン等の断熱素材２７が収納され、蓋体１３から熱が逃げるのを防止している。
蓋体１３の材質は、ポリプロピレンやポリテトラフルオロエチレンが好ましい。
【００３４】
上記のように構成された本実施の形態の生体試料輸送容器１の作用効果をまとめて概説すると以下の通りである。
生体試料輸送容器１は、内部に極低温液化ガス吸着保持材３を収容し、バイアル等の試料容器５を試料容器固定具１５で保持し、さらに内容物固定具１７を設けたことで、バイアル等の試料容器５を安定して容器内に収容することができる。
また、蓋体１３と容器本体部１１の出入り口との間に、蓋体１３を装着した状態でガスが通過できる隙間が形成されているので、内圧が上昇するという危険がない。
さらに、蓋体１３を出入り口に固定するために、一対の操作片２１を対向配置し、一対の操作片を互いに近づけるようにすることで、係合を解除できるようにしているので、片手で簡単に蓋体１３の開閉作業ができる。
【００３５】
［実施の形態２］
本実施の形態に係る生体試料輸送容器を図１４〜図２０に基づいて説明する。
なお、図１４〜図２０において、実施の形態１と同一部分については同一の符号を付して説明を省略する。
【００３６】
本実施の形態の生体試料輸送容器３１は、実施の形態１と同様に、極低温液化ガスを吸着保持する極低温液化ガス吸着保持材３及び生体試料を入れた試料容器５を収納する収納部３３と上部が開口する筒状の容器口部３５とを有する有底筒状の容器本体部３７と、容器本体部３７の容器口部３５に着脱可能に設けられ容器口部３５を覆う有底筒状の蓋体３９と、蓋体３９に取り付けられた温度センサ４１とを備えている。
本実施の形態は容器口部３５及び蓋体３９の構造、温度センサ４１を設けた点が実施の形態１と異なるのでこの点について以下詳細に説明する。
【００３７】
＜容器口部＞
容器口部３５の外周面には、図１６、図１７に示されるように、雄ネジ部４３が形成されている。
ねじ山の数は特に限定されるものではないが、本実施の形態では２山である。山数が増えると蓋体３９の開閉の際の回転数が増えるので２山程度が好ましい。
【００３８】
＜蓋体＞
蓋体３９は、図１４、図１６、図１７に示すように、下部が開口した有底筒形状で、その中央には温度センサ取付部４５が形成されている。蓋体３９の材質はポリカーボネートやポリプロピレン、テフロン（登録商標）が好ましい。
【００３９】
蓋体３９の内周面には、容器口部３５の雄ネジ部４３に螺合する雌ネジ部４７が形成され（図１６参照）、さらに極低温液化ガスが通流できる凹部４９が形成されている（図１７、図１９参照）。
蓋体３９の肉厚は例えば3mm程度あるが、蓋体３９の開口縁部には厚さ1mm程度の厚肉部５１が設けられており（図１６、図１７参照）、蓋体３９を容器口部３５にねじ込んだ時に、蓋体３９が締め付ける力に負けて広がってしまうことを防止している。
【００４０】
蓋体３９の開口縁部が変形して拡がると雌ネジ部４７のねじ山が容器口部３５の雄ネジ部４３のねじ山を越えて空回りしてしまうため、厚肉部５１はこれを防止する機能を有している。
また、蓋体３９の表面には開閉時に力がかけやすくなるようにグリップ強化用の溝５３が形成されている（図１４参照）。
本実施の形態の生体試料輸送容器３１の蓋体３９は、雌ネジ部４７と凹部４９に特徴があるので、以下これらについて詳細に説明する。
【００４１】
《雌ネジ部》
雌ネジ部４７のねじ山は、蓋体３９の内周面の全周に亘って形成されるのではなく、図１９、２０に示すように、周方向の一部に形成されている。本実施の形態の蓋体３９の外形は約100mmであるが、この場合、雌ネジ部４７の周方向の長さは50mm程度である。
また、雌ネジ部４７は、周方向に凸凹して歯が連続する形状になっており、本実施の形態では歯の先端が尖った鋸歯状に形成されている。ねじ山の高さは、2.5mm程度である。
ねじ山を凸凹して歯が連続する形状にすることで、容器口部３５との接触面積が小さくなり、蓋体３９と容器口部３５の雄ネジ部４３との間が凍結しても抵抗が小さくなるため開閉しやすい。
【００４２】
また、歯と歯の隙間から極低温液化ガスを排気するという機能も有している。ねじ山の歯と歯の間は2〜3mm程度の間隔で、各歯の傾斜角度は約60°、歯の先端のＲは0.3ｍｍ程度であるがこれに限定するものではない。
さらに、ねじ山を凸凹して歯が連続する形状にすることで、蓋体３９を容器口部３５にねじ込んで締める際に、容器口部３５に付いた霜や氷を削り取ることができる。
そして、ねじ山の先端を尖らせて鋸歯状にすることで、この機能をより高めることができる。
【００４３】
《凹部》
凹部４９は、蓋体３９の内周面に周方向に複数箇所設けられて内部の気体を逃すための通気口の機能を有している。すなわち、内部の液体窒素が気化しても凹部４９から外部へ排気することが可能になっており、内圧の上昇が防止される（図１７の矢印参照）。
凹部４９の周方向の長さの合計を長くしすぎると熱が侵入して低温保持時間が減少し、短すぎると霜が付いて凹みが塞がれる恐れがある。そこで、凹部４９の周方向の長さの合計は蓋体３９の内周長に対して10〜40％とするのが好ましく、20〜30％とすることがより好ましい。
【００４４】
凹部４９の深さは、雌ネジ部４７のねじ山の高さを約2mmとすると、-2mm程度とするのが好ましいが、これに限定されるものはない。
また、凹部４９の数は特に限定されないが、凹部４９の数が多いほど、蓋体３９を容器口部３５にねじ込んだ時に、蓋体３９を締め付ける力に負けやすくなってしまうため、３〜５箇所程度が好ましい。
【００４５】
＜温度センサ＞
温度センサ４１は、蓋体３９の温度センサ取付部４５に取り付けられるセンサ本体部５５と、センサ本体部５５から延出して温度測定を行う温度測定部５７を備えている。
センサ本体部５５にはディスプレイが設けられ、測定温度を表示するようになっている。
温度測定部５７はステンレス製の金属保護管で覆われたＫ熱電対であり、先端が尖っているため、怪我防止の保護キャップ５９が取り付けられている（図１８参照）。
【００４６】
保護キャップ５９は凍傷防止の効果も担っており、超低温状態となったステンレス部に直接触れてしまうことを防止している。保護キャップ５９にはポリカーボネート樹脂を採用している。金属を採用すると熱伝導率が大きいため、皮膚の体温を奪いやすいことから凍傷になりやすいが、樹脂は熱伝導率が小さいため、金属性のキャップより凍傷になりにくい。
保護キャップ５９は、温度センサ４１の基部に形成したねじ部にねじ固定する。また、保護キャップ５９の先端には温度測定部５７まで切込み６１が入っているため、樹脂の熱伝導ではなく、直接容器内部に侵入した空気の温度を測定できる。
【００４７】
以上のように構成された本実施の形態の生体試料輸送容器３１によれば、構造が単純でありながら、内部気体の排気が可能であり、内圧の上昇を防止できる。
また、蓋体３９に設けた雌ネジ部４７のねじ山を周方向に凸凹して歯が連続する形状にしたことにより、内部気体の排気の機能に加えて凍結時の抵抗の緩和、さらには蓋体３９を容器口部３５にねじ込んで締める際に、容器口部３５に付いた霜や氷を削り取り蓋体３９の装着を容易にしている。
【００４８】
なお、上記の説明では、凹部４９を蓋体３９の内周面に設けた例を示したが、凹部４９は容器口部３５の外周面に形成してもよい。
また、上記の説明では、蓋体３９の雌ねじ部のネジ山を鋸歯状に形成した例を示したが、容器口部３５の雄ネジ部４３のねじ山を周方向に凸凹して歯が連続する形状にしてもよい。
【００４９】
１  生体試料輸送容器（実施の形態１）
３  極低温液化ガス吸着保持材
３ａ  試料容器挿入穴
５  試料容器
７  収納部
９  容器口部
１１  容器本体部
１３  蓋体
１３ａ  開口窓部
１５  試料容器固定具
１５ａ  試料容器保持穴
１５ｂ  突起部
１５ｃ  側溝
１７  内容物固定具
１９  係止部
２１  操作片
２１ａ  操作部
２１ｂ  傾動軸
２１ｃ  バネ
２１ｄ  係合部
２３  断熱材保持容器
２５  固定ネジ
２７  断熱素材
３１  生体試料輸送容器（実施の形態２）
３３  収納部
３５  容器口部
３７  容器本体部
３９  蓋体
４１  温度センサ
４３  雄ネジ部
４５  温度センサ取付部
４７  雌ネジ部
４９  凹部
５１  厚肉部
５３  溝
５５  センサ本体部
５７  温度測定部
５９  保護キャップ
６１  切込み
【図１】
0006653283.tif 000002
【図２】
0006653283.tif 000003
【図３】
0006653283.tif 000004
【図４】
0006653283.tif 000005
【図５】
0006653283.tif 000006
【図６】
0006653283.tif 000007
【図７】
0006653283.tif 000008
【図８】
0006653283.tif 000009
【図９】
0006653283.tif 000010
【図１０】
0006653283.tif 000011
【図１１】
0006653283.tif 000012
【図１２】
0006653283.tif 000013
【図１３】
0006653283.tif 000014
【図１４】
0006653283.tif 000015
【図１５】
0006653283.tif 000016
【図１６】
0006653283.tif 000017
【図１７】
0006653283.tif 000018
【図１８】
0006653283.tif 000019
【図１９】
0006653283.tif 000020
【図２０】
0006653283.tif 000021